(57)【特許請求の範囲】
【請求項１】
記録媒体に対して情報を書き込むと共に、前記記録媒体から情報を読み出すディスクドライブ装置であって、
記録媒体を収容することができる収容部及び前記記録媒体を挿入する挿入口を備えた装置本体と、
前記挿入口近傍に回動可能に設けられており、前記挿入口を塞ぐ蓋部材と、
を具備し、
前記蓋部材は、記録媒体挿入の際において前記記録媒体が当接することにより前記蓋部材が前記装置本体に対して回動する程度の角度を有する傾斜面と、前記記録媒体が前記収容部内に装填されたときに前記記録媒体の端部と係合する係合部とを備えることを特徴とするディスクドライブ装置。
【請求項２】
前記蓋部材は、前記記録媒体が前記収容部内に装填されたときに、前記収容部内に侵入しないことを特徴とする請求項１に記載のディスクドライブ装置。
【請求項３】
記録媒体に対して情報を書き込むと共に、前記記録媒体から情報を読み出すディスクドライブ装置を備えた記録再生機器であって、
前記ディスクドライブ装置は、
記録媒体を収容することができる収容部及び前記記録媒体を挿入する挿入口を備えた装置本体と、
前記挿入口近傍に回動可能に設けられており、前記挿入口を塞ぐ蓋部材と、
を具備し、
前記蓋部材は、記録媒体挿入の際において前記記録媒体が当接することにより前記蓋部材が前記装置本体に対して回動する程度の角度を有する傾斜面と、前記記録媒体が前記収容部内に装填されたときに前記記録媒体の端部と係合する係合部とを備えることを特徴とする記録再生機器。
【発明の詳細な説明】
【０００１】
【発明の属する技術分野】
本発明は、フロッピーディスク等の記録媒体を用いるディスクドライブ装置及びそれを用いた記録再生機器に関する。
【０００２】
【従来の技術】
現在、ディジタルスチルカメラを始め、コンピュータ機器等のフロッピーディスクドライブ記録方式の記録再生機器が普及している。これらの記録再生機器では、フロッピーディスクドライブ装置の挿入部に蓋が設けられており、フロッピーディスクを挿入する前は、蓋によりディスクドライブ装置の内部構造が見えないようになっている。
【０００３】
一方、フロッピーディスクを挿入する時には、フロッピーディスク自身がその蓋を跳ね上げて挿入されるため、ディスクドライブ装置本体からフロッピーディスクがはみ出して見えてしまうことがある。
【０００４】
このような問題を解決するために、蓋を二重構造にしてフロッピーディスクを挿入した時のフロッピーディスクのはみ出しを隠す構造にしたものがある。しかしながら、この場合は、蓋を二重構造にしているため、その分装置が大型になるという問題がある。
【０００５】
また、図４（ｂ）に示すように、サイドキャビ２１に回動可能に取り付けられた蓋２２は、フロッピーディスク２３と接触しなように設けられているので、図中ａ，ｂ，ｃのようになる。すなわち、フロッピーディスク２３の挿入時には、蓋がｃの位置となり、フロッピーディスク２３の取出し時には、蓋がｂの位置となる。この場合、ディスクドライブ装置の外形が大きくなってしまう。
【０００６】
【発明が解決しようとする課題】
本発明はかかる点に鑑みてなされたものであり、記録媒体挿入時においても装置内部が見えることを防止し、しかも装置の小型化を図ることができるディスクドライブ装置及びそれを用いた記録再生機器を提供することを目的とする。
【０００７】
【課題を解決するための手段】
上記課題を解決するために、本発明は以下の手段を講じた。
本発明は、記録媒体に対して情報を書き込むと共に、前記記録媒体から情報を読み出すディスクドライブ装置であって、記録媒体を収容することができる収容部及び前記記録媒体を挿入する挿入口を備えた装置本体と、前記挿入口近傍に回動可能に設けられており、前記挿入口を塞ぐ蓋部材と、を具備し、前記蓋部材は、記録媒体挿入の際において前記記録媒体が当接することにより前記蓋部材が前記装置本体に対して回動する程度の角度を有する傾斜面と、前記記録媒体が前記収容部内に装填されたときに前記記録媒体の端部と係合する係合部とを備えることを特徴とするディスクドライブ装置を提供する。
【０００８】
この構成によれば、記録媒体がドライブ装置の収容部内に装填されたときに記録媒体の端部と係合部とが係合するので、記録媒体がドライブ装置の収容部内にあるときは、蓋部材は記録媒体の端部と係合していることになる。このため、蓋部材が収容部内部に入り込むことがなくなり、その分（最大蓋部材の高さ分）の寸法を縮小することができる。その結果、装置の小型化を図ることができる。また、記録媒体挿入時においても装置内部が見えることを防止することができる。
【０００９】
本発明のディスクドライブ装置においては、前記蓋部材が、前記記録媒体が前記収容部内に装填されたときに、前記収容部内に侵入しないことが好ましい。
【００１０】
また、本発明は、記録媒体に対して情報を書き込むと共に、前記記録媒体から情報を読み出すディスクドライブ装置を備えた記録再生機器であって、前記ディスクドライブ装置は、記録媒体を収容することができる収容部及び前記記録媒体を挿入する挿入口を備えた装置本体と、前記挿入口近傍に回動可能に設けられており、前記挿入口を塞ぐ蓋部材と、を具備し、前記蓋部材は、記録媒体挿入の際において前記記録媒体が当接することにより前記蓋部材が前記装置本体に対して回動する程度の角度を有する傾斜面と、前記記録媒体が前記収容部内に装填されたときに前記記録媒体の端部と係合する係合部とを備えることを特徴とする記録再生機器を提供する。
【００１１】
【発明の実施の形態】
以下、本発明の実施の形態について、添付図面を参照して詳細に説明する。なお、本実施の形態においては、記録媒体がフロッピーディスクであり、記録再生機器がディジタルスチルカメラである場合について説明する。
【００１２】
本発明の一実施の形態に係るディスクドライブ装置を示す図であり、（ａ）は平面図であり、（ｂ）は側面図であり、（ｃ）は正面図であり、（ｄ）は蓋の拡大図である。ディスクドライブ装置は、矩形の外形を有するフロッピーディスク１５を収容できる大きさの収容空間を備え、フロッピーディスク１５を挿入する挿入口を有するフロッピーディスクドライブ本体１１を備えている。
【００１３】
ドライブ本体１１の挿入口近傍には、蓋１３がドライブ本体１１に対して回動可能に設けられている。具体的には、蓋１３は上下両端に軸（図示せず）を有しており、この軸がドライブ本体１１に設けられた穴（図示せず）に嵌合されることにより、蓋１３とドライブ本体１１とが結合している。また、この蓋１３は、ドライブ本体１１にその一端が固定されたバネ１４により図１（ｄ）に示す位置に付勢されている。
【００１４】
この蓋１３は、図１（ｄ）に示すように、フロッピーディスク１５が当接することにより、蓋１３がドライブ本体１１に対して回動する程度の角度を有する傾斜面１３ａと、フロッピーディスク１５を挿入した時に、フロッピーディスク１５の端部と係合する係合部である角部１３ｂと、後述する閉時のストッパー１１ａと当接する平坦部１３ｃと、後述する開時のストッパー１１ｂと当接する突出部１３ｄとを有する。
【００１５】
したがって、図１（ａ）に示すように、フロッピーディスク１５が矢印方向に挿入される場合に、傾斜面１３ａにフロッピーディスク１５が当接して蓋１３が図１（ｄ）の破線で示す位置まで回動するようになっている。そして、フロッピーディスク１５がドライブ本体１１の収容部に挿入された後は、蓋１３がバネ１４の付勢力により反対方向に回動する。このとき、フロッピーディスク１５の端部と蓋１３の角部１３ｂとが係合する。
【００１６】
なお、図中１２は、フロッピーディスク１５の挿入の際のガイドであるディジタルスチルカメラのサイドキャビを示す。蓋１３が撓んだ場合等には、このサイドキャビ１２でその応力を吸収するようになっている。
【００１７】
また、蓋１３の開閉時のストッパー１１ａ，１１ｂがドライブ本体１１に設けられている。すなわち、閉時には、蓋１３の平坦部１３ｃが閉時のストッパー１１ａと当接し、開時には、蓋１３の突出部１３ｄの一方の面が開時のストッパー１１ｂと当接するようになっており、閉時のストッパー１１ａと開時のストッパー１１ｂとの間で蓋１３の回動が規制されている。
【００１８】
次に、フロッピーディスク１５の挿入及び取出しの際の蓋１３の動作状態を図２及び図３を用いて説明する。
【００１９】
フロッピーディスク１５の挿入の際は、図２（ａ）〜図２（ｄ）に示すように、まず、フロッピーディスク１５が蓋１３の傾斜面１３ａに当接する。このとき、フロッピーディスク１５を手で押す力Ｆにより、蓋１３には、矢印Ａ及びＢの方向の力が作用する。傾斜面１３ａは、所定の角度を有しているので、矢印Ａ方向の力により蓋１３が回動して押し上げられる。そして、フロッピーディスク１５がドライブ本体内に挿入される。
【００２０】
次いで、図２（ｅ）に示すように、フロッピーディスク１５がドライブ本体１１の収容部の奥まで入ると、ドライブ本体側でフロッピーディスク１５を矢印Ｄ方向にフロッピーディスク１５を下降させる。
【００２１】
次いで、図２（ｆ）〜図２（ｇ）に示すように、フロッピーディスク１５が下降すると、バネにより付勢された蓋１３が矢印Ｃ方向に回動し、蓋１３が閉じ、外観では、フロッピーディスク１５が見えなくなる。このとき、蓋１３の角部１３ｂは、フロッピーディスク１５の端部と係合する。これにより、蓋１３でフロッピーディスク１５の位置を規制すると共に、フロッピーディスク１５により蓋１３がドライブ本体内に入り込むことを防止している。その結果、図４（ａ）に示すように、従来のディスクドライブ装置（図４（ｂ））に比べて蓋１３がドライブ本体内に入り込む分程度のドライブ本体の小型化を図ることができる。
【００２２】
フロッピーディスク１５を取出す際は、まず、イジェクト釦が操作されると、フロッピーディスク芯金に装着されている駆動手段（図示せず）が退避し、フロッピーディスク押出し手段（図示せず）によりフロッピーディスク１５が外側に押し出される。
【００２３】
すなわち、図３（ａ）〜図３（ｄ）に示すように、フロッピーディスク１５が矢印Ｅ方向に上昇して蓋１３が持ち上げられ、蓋１３の角部１３ｂとフロッピーディスク１５の端部との係合が解放される。そして、ドライブ本体側の押出し手段による押出し力（例えば、バネ力）によりフロッピーディスク１５が矢印Ｇ方向に押出される。
【００２４】
次いで、図３（ｅ）〜図３（ｇ）に示すように、フロッピーディスク１５が矢印Ｇ方向に押出されると、持ち上がった蓋１３がバネの付勢力により元の位置に戻る。
【００２５】
上記実施の形態においては、記録媒体がフロッピーディスクである場合について説明しているが、本発明は、記録媒体がミニディスク（ＭＤ）やディジタルビデオディスク（ＤＶＤ）等である場合にも適用することができる。
【００２６】
上記実施の形態においては、ディスクドライブ装置をディジタルスチルカメラに搭載した場合について説明しているが、本発明は、記録媒体を使用するコンピュータや携帯型機器等の記録再生機器すべてに適用することができる。
【００２７】
【発明の効果】
以上説明したように本発明のディスクドライブ装置及びそれを用いた記録再生機器は、記録媒体の挿入口を備えた装置本体と、挿入部近傍に回動可能に設けられた蓋部材と、を具備し、蓋部材は、記録媒体挿入の際に装置本体に対して回動する程度の角度を有する傾斜面と、記録媒体が収容部内に装填されたときに記録媒体の端部と係合する係合部とを備えるので、記録媒体挿入時においても装置内部が見えることを防止し、しかも装置の小型化を図ることができる。
【図面の簡単な説明】
【図１】本発明の一実施の形態に係るディスクドライブ装置を示す図であり、（ａ）は平面図であり、（ｂ）は側面図であり、（ｃ）は正面図であり、（ｄ）は蓋の拡大図である。
【図２】（ａ）〜（ｇ）は、上記実施の形態に係るディスクドライブ装置におけるフロッピーディスク挿入時のフロッピーディスク及び蓋の動きを示す状態遷移図である。
【図３】（ａ）〜（ｇ）は、上記実施の形態に係るディスクドライブ装置におけるフロッピーディスク取出し時のフロッピーディスク及び蓋の動きを示す状態遷移図である。
【図４】ディスクドライブ装置の外形を示す図であり、（ａ）は上記実施の形態に係るものであり、（ｂ）は従来のものである。
【符号の説明】
１１…フロッピーディスクドライブ本体、１１ａ…閉時のストッパー、
１１ｂ…開時のストッパー、１２…サイドキャビ、１３…蓋、
１３ａ…傾斜面、１３ｂ…角部、１３ｃ…平坦部、１３ｄ…突出部、
１４…バネ、１５…フロッピーディスク。
【図１】
0003906554.tif 000002
【図２】
0003906554.tif 000003
【図３】
0003906554.tif 000004
【図４】
0003906554.tif 000005